(57)【要約】【課題】トランジスタ移動度のばらつきの影響を低減することができ、輝度ムラを低減することができる基準電流演算装置、表示装置及びその方法を提供する。【解決手段】基準電流演算装置１０１は、入力映像信号Ｖｉｎから各列の信号レベルの平均値である列平均レベル信号を演算する列平均レベル演算回路１０４と、列平均レベル信号から、各列の画素回路２０１が移動度補償用電流源Ｉ２０７と基準電流供給線ＩＳＬ２０１〜２０ｎを共有する移動度補償型電圧プログラム方式表示パネル１０２の基準電流Ｉｒｅｆを設定するための基準電流設定信号Ｐ２へ変換する基準電流設定テーブル１０５と、入力映像信号Ｖｉｎの１フレーム前の映像信号である１フレーム遅延映像信号Ｐ１を生成する映像信号遅延回路１０３と、を備える。【選択図】図１
2009003075.tif 000002
【特許請求の範囲】
【請求項１】
入力映像信号から各列の信号レベルの平均値である列平均レベル信号を演算する列平均レベル演算回路と、
前記列平均レベル信号から、各列の画素回路が移動度補償用電流源と基準電流供給線を共有する移動度補償型電圧プログラム方式表示パネルの基準電流を設定するための基準電流設定信号へ変換する基準電流設定テーブルと、を備えたことを特徴とする基準電流演算装置。
【請求項２】
入力映像信号から各列の信号レベルの平均値である列平均レベル信号を演算する列平均レベル演算回路と、
前記列平均レベル信号からフィルタ後列平均レベル信号を出力する有限インパルス応答フィルタで構成されるローパスフィルタと、
前記フィルタ後列平均レベル信号から、各列の画素回路が移動度補償用電流源と基準電流供給線を共有する移動度補償型電圧プログラム方式表示パネルの基準電流を設定するための基準電流設定信号へ変換する基準電流設定テーブルと、を備えたことを特徴とする基準電流演算装置。
【請求項３】
前記ローパスフィルタは、両隣の前記列平均レベル信号を加味してフィルタ後列平均レベル信号を出力することを特徴とする請求項２に記載の基準電流演算装置。
【請求項４】
前記入力映像信号の１フレーム前の映像信号である１フレーム遅延映像信号を生成する映像信号遅延回路をさらに備えたことを特徴とする請求項１乃至３のいずれかに記載の基準電流演算装置。
【請求項５】
請求項４に記載の基準電流演算装置と、
前記１フレーム遅延映像信号と前記基準電流設定信号を入力として映像を表示する移動度補償型電圧プログラム方式表示パネルと、を備えたことを特徴とする表示装置。
【請求項６】
前記基準電流の更新は、各フレーム間の垂直ブランキング期間に行われることを特徴とする請求項５に記載の表示装置。
【請求項７】
前記移動度補償型電圧プログラム方式表示パネルは、有機ＥＬパネルであることを特徴とする請求項５又は６に記載の表示装置。
【請求項８】
入力映像信号から各列の信号レベルの平均値である列平均レベル信号を演算する列平均レベル演算ステップと、
前記列平均レベル信号から、各列の画素回路が移動度補償用電流源と基準電流供給線を共有する移動度補償型電圧プログラム方式表示パネルの基準電流を設定するための基準電流設定信号へ変換する変換ステップと、を含むことを特徴とする基準電流演算方法。
【請求項９】
入力映像信号から各列の信号レベルの平均値である列平均レベル信号を演算する列平均レベル演算ステップと、
前記列平均レベル信号からフィルタ後列平均レベル信号を出力するフィルタリングステップと、
前記フィルタ後列平均レベル信号から、各列の画素回路が移動度補償用電流源と基準電流供給線を共有する移動度補償型電圧プログラム方式表示パネルの基準電流を設定するための基準電流設定信号へ変換する変換ステップと、を含むことを特徴とする基準電流演算方法。
【請求項１０】
前記フィルタリングステップは、両隣の前記列平均レベル信号を加味してフィルタ後列平均レベル信号を出力することを特徴とする請求項９に記載の基準電流演算方法。
【請求項１１】
前記入力映像信号の１フレーム前の映像信号である１フレーム遅延映像信号を生成する映像信号遅延ステップをさらに含むことを特徴とする請求項８乃至１０のいずれかに記載の基準電流演算方法。
【請求項１２】
請求項１１に記載の基準電流演算方法と、
前記１フレーム遅延映像信号と前記基準電流設定信号を入力として映像を表示する表示ステップと、を含むことを特徴とする表示方法。
【請求項１３】
前記基準電流の更新は、各フレーム間の垂直ブランキング期間に行われることを特徴とする請求項１２に記載の表示方法。
【請求項１４】
前記移動度補償型電圧プログラム方式表示パネルは、有機ＥＬパネルであることを特徴とする請求項１２又は１３に記載の表示方法。
【発明の詳細な説明】
【技術分野】
【０００１】
本発明は、有機ＥＬパネルなどの、電流量により階調表示を行う表示装置の中で、特に基準電流を用いて画素回路のトランジスタ移動度を補償する表示装置における基準電流演算装置、表示装置及びその方法に関する。
【背景技術】
【０００２】
近年、アクティブタイプの表示装置には、走査期間中に与えられる電圧又は電流を保持する電圧プログラム方式又は電流プログラム方式が用いられる。有機ＥＬなど電流量により階調表示を行う表示装置において、電流プログラム方式を用いる場合、高品位な階調表示が可能であるが、配線の寄生容量による時定数が大きいために走査時間を長く設ける必要があるので大型高精細パネルや高リフレッシュレートでの表示が困難である。一方、電圧プログラム方式を用いる場合、各画素回路により電圧電流変換を行うことから、このトランジスタ移動度のばらつきに応じて、駆動電流にばらつきが発生し、輝度ムラが生じる問題がある。
【０００３】
この課題に対して、特許文献１に記載の表示装置は、基準電流Ｉｒｅｆを印加することにより移動度を補償している。図１０は、従来の表示装置の１つの画素回路の具体的な構成を示す図である。図１０において、画素回路４０１は、走査期間中の基準電流Ｉｒｅｆを用いて、データ信号電圧に対する駆動電流Ｉｄ特性の移動度に起因する特性ばらつきを補償しながら、データ信号電圧に応じて駆動電流Ｉｄを保持出力する移動度補償型電圧プログラム回路４０２と、駆動電流Ｉｄにより発光する有機ＥＬ素子４０３とを備える。移動度補償用定電流源４０４は、基準電流供給線に対して走査期間中に基準電流Ｉｒｅｆを加える。プログラム用電圧源４０５は、データ線に対して走査期間中にデータ信号電圧を加える。
【０００４】
図１１は、図１０のように構成される画素回路を備えた表示装置の任意の異なる２つの画素回路αとβにおける、データ信号電圧に対する駆動電流Ｉｄ特性を示す図である。図１１（ａ）は基準電流Ａを印加した場合の特性曲線であり、図１１（ｂ）はＢ＜Ａとなる基準電流Ｂを印加した場合の特性曲線である。画素回路αとβでは、データ信号電圧に対する駆動電流Ｉｄの特性曲線が異なるが、基準電流Ｉｒｅｆと等しい駆動電流Ｉｄを得るためのデータ信号電圧が一定となるように移動度補償型電圧プログラム回路４０２によって特性補償される。よって、得たい駆動電流Ｉｄに等しい基準電流Ｉｒｅｆを印加することで、トランジスタ移動度のばらつきに起因するデータ信号電圧に対する駆動電流Ｉｄ特性のばらつきを精度良く補償して、輝度ムラを低減可能である。
【０００５】
【特許文献１】特開２００４−３４１４４４号公報
【発明の開示】
【発明が解決しようとする課題】
【０００６】
しかしながら、特許文献１に記載の表示装置では、基準電流Ｉｒｅｆと異なる電流で有機ＥＬ素子４０３を駆動する際には、移動度を精度良く補償することができずに輝度ムラが発生してしまう。この課題は、駆動電流Ｉｄと基準電流Ｉｒｅｆの差が大きいほど顕著である。また、各画素の表示階調に応じて異なる基準電流を設定しようとすると、電流プログラム方式と同じく配線の寄生容量による時定数が大きいために走査時間を長く設ける必要があるので、解決が困難である。
【０００７】
本発明は、前記課題を解決するもので、トランジスタ移動度のばらつきの影響を低減することができるので、輝度ムラを低減することができる基準電流演算装置、表示装置及びその方法を提供することを目的とする。
【課題を解決するための手段】
【０００８】
本発明に係る基準電流演算装置は、入力映像信号から各列の信号レベルの平均値である列平均レベル信号を演算する列平均レベル演算回路と、列平均レベル信号から、各列の画素回路が移動度補償用電流源と基準電流供給線を共有する移動度補償型電圧プログラム方式表示パネルの基準電流を設定するための基準電流設定信号へ変換する基準電流設定テーブルと、を備える
【０００９】
本発明に係る基準電流演算装置は、入力映像信号から各列の信号レベルの平均値である列平均レベル信号を演算する列平均レベル演算回路と、列平均レベル信号からフィルタ後列平均レベル信号を出力する有限インパルス応答フィルタで構成されるローパスフィルタと、フィルタ後列平均レベル信号から、各列の画素回路が移動度補償用電流源と基準電流供給線を共有する移動度補償型電圧プログラム方式表示パネルの基準電流を設定するための基準電流設定信号へ変換する基準電流設定テーブルと、を備える。
【００１０】
ローパスフィルタは、両隣の列平均レベル信号を加味してフィルタ後列平均レベル信号を出力してもよい。
【００１１】
上記基準電流演算装置は、入力映像信号の１フレーム前の映像信号である１フレーム遅延映像信号を生成する映像信号遅延回路をさらに備えてもよい。
【００１２】
本発明に係る表示装置は、上記基準電流演算装置と、１フレーム遅延映像信号と基準電流設定信号を入力として映像を表示する移動度補償型電圧プログラム方式表示パネルと、を備える。
【００１３】
基準電流の更新は、各フレーム間の垂直ブランキング期間に行われてもよい。
【００１４】
移動度補償型電圧プログラム方式表示パネルは、有機ＥＬパネルであってもよい。
【００１５】
本発明に係る基準電流演算方法は、入力映像信号から各列の信号レベルの平均値である列平均レベル信号を演算する列平均レベル演算ステップと、列平均レベル信号から、各列の画素回路が移動度補償用電流源と基準電流供給線を共有する移動度補償型電圧プログラム方式表示パネルの基準電流を設定するための基準電流設定信号へ変換する変換ステップと、を含む。
【００１６】
本発明に係る基準電流演算方法は、入力映像信号から各列の信号レベルの平均値である列平均レベル信号を演算する列平均レベル演算ステップと、前記列平均レベル信号からフィルタ後列平均レベル信号を出力するフィルタリングステップと、前記フィルタ後列平均レベル信号から、各列の画素回路が移動度補償用電流源と基準電流供給線を共有する移動度補償型電圧プログラム方式表示パネルの基準電流を設定するための基準電流設定信号へ変換する変換ステップと、を含む。
【００１７】
フィルタリングステップは、両隣の列平均レベル信号を加味してフィルタ後列平均レベル信号を出力してもよい。
【００１８】
上記基準電流演算方法は、入力映像信号の１フレーム前の映像信号である１フレーム遅延映像信号を生成する映像信号遅延ステップをさらに含む。
【００１９】
本発明に係る表示方法は、上記基準電流演算方法と、１フレーム遅延映像信号と基準電流設定信号を入力として映像を表示する表示ステップと、を含む。
【００２０】
基準電流の更新は、各フレーム間の垂直ブランキング期間に行われてもよい。
【００２１】
移動度補償型電圧プログラム方式表示パネルは、有機ＥＬパネルであってもよい。
【発明の効果】
【００２２】
本発明の表示装置によれば、大型高精細パネルや高リフレッシュレートでの表示においても、映像信号に応じて最適な基準電流を設定することで、トランジスタ移動度の影響を低減することができ、優れた階調表現をすることができる。
【発明を実施するための最良の形態】
【００２３】
以下本発明を実施するための最良の形態について、図を参照して説明する。なお、以下の各実施の形態において、同じ構成要素については同じ番号を付している。
【００２４】
実施の形態１
図１は、本発明の実施の形態１における表示装置の構成を示すブロック図である。図１において、表示装置１００は、基準電流演算装置１０１と、移動度補償型電圧プログラム方式有機ＥＬパネル（以下、有機ＥＬパネルという。）１０２とを備える。さらに、基準電流演算装置１０１は、入力映像信号Ｖｉｎを１フレーム遅延させた１フレーム遅延映像信号Ｐ１を出力する映像信号遅延回路１０３と、入力映像信号Ｖｉｎから各列（例えば、図２の第１列目）の信号レベルの平均値を演算して、演算結果を列平均レベル信号として出力する列平均レベル演算回路１０４と、列平均レベル信号を基準電流設定信号Ｐ２へ変換する基準電流設定テーブル１０５とを備える。有機ＥＬパネル１０２は、１フレーム遅延映像信号Ｐ１と基準電流設定信号Ｐ２を受け、映像を表示する。本実施の形態における有機ＥＬパネル１０２は、図２に示すｍ×ｎ個のマトリクス状に配列された有機ＥＬ素子を備える。有機ＥＬパネル１０２の構成については後述するが、有機ＥＬパネル１０２の各列の画素回路２０１（図５）は、移動度補償用可変電流源Ｉ２０７（図６）と基準電流供給線ＩＳＬ２０１〜ＩＳＬ２０ｎ（図５、６）を共有する。
【００２５】
以上のように構成された表示装置について以下その動作説明を行う。図３は、図１の列平均レベル演算回路１０４による列平均レベル演算処理を示すフローチャートである。列平均レベル演算回路１０４は、入力映像信号Ｖｉｎから各列の映像信号レベルの平均値を演算する。図３において、まず列番号ｉに初期値０を設定し（Ｓ１）、列番号ｉに１を加算する（Ｓ２）。１フレームの入力映像信号Ｖｉｎには、図２に示す番号順に各画素の映像信号レベルが並べられている。入力映像信号Ｖｉｎから第ｉ列目のｍ個の映像信号レベルを抽出し、抽出した映像信号レベルの合計値（Σ）を計算する（Ｓ３）。このΣを行数ｍで除算し（Ｓ４）、この演算結果を第ｉ列目の映像信号レベルの平均値に設定する（Ｓ５）。列番号ｉが列数ｎになるまで（Ｓ６でＹｅｓ）、ステップＳ２からステップＳ５までの処理を繰り返す。列番号ｉが列数ｎになったとき（Ｓ６でＮｏ）、このフローチャートを終了する。具体的には、まず第１列目のｍ個の映像信号レベルの平均値を求め、次に第２列目のｍ個の映像信号レベルの平均値を求める。３列目以降も同様に計算し、最後に第ｎ列目のｍ個の映像信号レベルの平均値を求める。列平均レベル演算回路１０４は、このように求めた各列の平均値を列平均レベル信号として基準電流設定テーブル１０５へ出力する。
【００２６】
次に、基準電流設定テーブル１０５は、列平均レベル信号を入力として受け、各列の移動度補償用可変電流源（後述する図６のＩ２０７）が出力する基準電流Ｉｒｅｆを決定するための基準電流設定信号を出力する。図４は、映像信号の列平均レベル信号に対する基準電流Ｉｒｅｆの変換特性を示す図である。有機ＥＬ素子において、発光強度である信号レベルと電流値の関係は、非線形である。基準電流設定テーブル１０５は、予め設定される図４のような非線形関数に従って、各列の平均レベルごとにテーブル変換を行い、変換結果に基づいて基準電流設定信号Ｐ２を生成し、この基準電流設定信号Ｐ２を有機ＥＬパネル１０２へ出力する。
【００２７】
１フレームの入力映像信号Ｖｉｎには、図２に示す番号順に各画素の映像信号レベルが並べられている。列平均レベル演算回路１０４は、第ｍ行目の映像信号レベルが入力されるまで、各列の映像信号レベルの平均値を演算することができない。具体的には、第１列目の演算は、（ｍ−１）×ｎ＋１番目の映像信号レベルが入力された後でしか行えない。このため、列平均レベル演算回路１０４は、入力映像信号Ｖｉｎより１フレーム遅延した列平均レベル信号しか出力できない。一方、映像信号遅延回路１０３は、入力映像信号Ｖｉｎの１フレーム前の映像信号である１フレーム遅延映像信号Ｐ１を出力する。従って、有機ＥＬパネル１０２に同時に入力される１フレーム遅延映像信号Ｐ１と基準電流設定信号Ｐ２は、同一フレームの映像信号と基準電流設定信号となる。
【００２８】
図５は、図１の有機ＥＬパネルの構成を示すブロック図である。図６は、図５の有機ＥＬパネルの画素回路の具体的な構成を示す回路図である。
【００２９】
有機ＥＬパネル１０２は、図５及び図６に示すように、画素回路（ＰＸＬＣ）２０１がｍ×ｎのマトリクス状に配列された画素アレイ部２０２と、基準電流演算装置１０１から１フレーム遅延映像信号Ｐ１が入力される水平セレクタ（ＨＳＥＬ）２０３と、ライトスキャナ（ＷＳＣＮ）２０４と、ドライブスキャナ（ＤＳＣＮ）２０５と、オートゼロ回路（ＡＺＲＤ）２０６と、基準電流演算装置１０１から基準電流設定信号Ｐ２が入力される移動度補償用可変電流源（ＶＩＳ）２０７と、水平セレクタ２０３により選択され輝度情報に応じたデータ信号が供給されるデータ線ＤＴＬ２０１〜ＤＴＬ２０ｎと、ライトスキャナ２０４により選択駆動される走査線ＷＳＬ２０１〜ＷＳＬ２０ｍと、ドライブスキャナ２０５により選択駆動される駆動線ＤＳＬ２０１〜ＤＳＬ２０ｍと、オートゼロ回路２０６により選択駆動されるオートゼロ線ＡＺＬ２０１〜ＡＺＬ２０ｍと、可変電流源（ＶＩＳ）２０７によりそれぞれ異なる基準電流Ｉｒｅｆが供給される基準電流供給線ＩＳＬ２０１〜ＩＳＬ２０ｎとを有する。
【００３０】
なお、画素アレイ部２０２において、画素回路２０１はｍ×ｎのマトリクス状に配列されるが、図５においては図面の簡単化のために２（＝ｍ）×３（＝ｎ）のマトリクス状に配列した例を示す。また、図６においても、図面の簡単化のために一つの画素回路の具体的な構成を示す。
【００３１】
本実施の形態における画素回路２０１は、図６に示すように、ｐチャネルＴＦＴ２１１〜ＴＦＴ２１５と、キャパシタＣ２１１，Ｃ２１２と、有機ＥＬ素子（ＯＬＥＤ：電気光学素子）からなる発光素子２１６と、第１のノードＮＤ２１１と、第２のノードＮＤ２１２と、第３のノードＮＤ２１３とを有する。また、図６において、ＤＴＬ２０１はデータ線を、ＷＳＬ２０１は走査線を、ＤＳＬ２０１は駆動線を、ＡＺＬ２０１はオートゼロ線をそれぞれ示す。また、基準電流供給線ＩＳＬ２０１〜ＩＳＬ２０ｎには、移動度のバラツキを補正するために、基準電流設定信号Ｐ２に基づいて設定された、それぞれ異なる基準電流Ｉｒｅｆが流される。
【００３２】
画素回路２０１において、電源電位Ｖｃｃと接地電位ＧＮＤとの間にＴＦＴ２１１、第１のノードＮＤ２１１、ＴＦＴ２１２、及び発光素子２１６が直列に接続されている。具体的には、ＴＦＴ２１１のソースが電源電圧Ｖｃｃの供給ラインに接続され、ドレインが第１のノードＮＤ２１１に接続されている。ＴＦＴ２１２のソースが第１のノードＮＤ２１１に接続され、ドレインが発光素子２１６のアノードに接続され、発光素子２１６のカソードが接地電位ＧＮＤに接続されている。そして、ＴＦＴ２１１のゲートが第２のノードＮＤ２１２に接続され、ＴＦＴ２１２のゲートが駆動線ＤＳＬ２０１に接続されている。
【００３３】
第１のノードＮＤ２１１と第２のノードＮＤ２１２とに、ＴＦＴ２１３ソース・ドレインが接続され、ＴＦＴ２１３のゲートがオートゼロ線ＡＺＬ２０１に接続されている。キャパシタＣ２１１の第１電極が第２のノードＮＤ２１２に接続され、第２電極が第３のノードＮＤ２１３に接続されている。また、キャパシタＣ２１２の第１電極が第３のノードＮＤ２１３に接続され、第２電極が電源電位Ｖｃｃに接続されている。データ線ＤＴＬ２０１と第３のノードＮＤ２１３とにＴＦＴ２１４のソース・ドレインが接続され、ＴＦＴ２１４のゲートが走査線ＷＳＬ２０１に接続されている。さらに、第１のノードＮＤ２１１と基準電流供給線ＩＳＬ２０１との間にＴＦＴ２１５のソース・ドレインが接続され、ＴＦＴ２１５のゲートがオートゼロ線ＡＺＬ２０１に接続されている。
【００３４】
以下、第１行目の画素回路の動作について説明する。まず、基準電流供給線ＩＳＬ２０１には可変電流源２０７により基準電流Ｉｒｅｆ（たとえば２μＡ）が流される。駆動線ＤＳＬ２０１への駆動信号が高レベルの状態（ＴＦＴ２１２が非導通状態）で、オートゼロ線ＡＺＬ２０１へのオートゼロ信号を低レベルとし、ＴＦＴ２１３とＴＦＴ２１５を導通状態とする。
【００３５】
このとき、ＴＦＴ２１５がオンし、第１のノードＮＤ２１１、第２のノードＮＤ２１２は、基準電流供給線ＩＳＬ２０１を通して可変電流源Ｉ２０７に接続され、基準電流Ｉｒｅｆを引いているために、画素のオン電流が基準電流Ｉｒｅｆに一致するように、ＴＦＴ２１１のゲート電圧値が設定される。これにより、しきい値や移動度がばらついている全ての画素に対しての補正（オートゼロ動作）が実行される。
【００３６】
オートゼロ線ＡＺＬ２０１へのオートゼロ信号を高レベルとしてＴＦＴ２１３、ＴＦＴ２１５を非導通状態としてオートゼロ動作（Ｖｔｈ補正動作）を終了させた後、駆動線ＤＳＬ２０１への駆動信号を低レベルとし、ＴＦＴ２１２を導通状態とする。
【００３７】
そして、走査線ＷＳＬ２０１への走査信号を、低レベルとしてＴＦＴ２１４を導通状態として、データ線ＤＴＬ２０１に伝搬された所定電位のデータ信号をキャパシタＣ２１１に印加させる。これにより、キャパシタＣ２１１を介して入力データ信号がＴＦＴ２１１のゲート電圧にカップリングされ、カップリング電圧に相当する値の電流がＥＬ発光素子２１６に流れ、発光する。そして、走査線ＷＳＬ２０１を高レベルとしてＴＦＴ２１４を非導通状態とする。各フレームの映像に応じて設定する基準電流Ｉｒｅｆは、各フレーム間の垂直ブランキング期間に更新することで配線の寄生容量による時定数に比較して十分早く設定できる。
【００３８】
以上のように、実施の形態１によれば、各列の画素が共有する移動度補償用可変電流源が印加する基準電流値を、各列の映像信号レベルの平均値に応じて、最適な値に設定することにより、トランジスタ移動度のばらつきの影響を低減することができ、輝度ムラが生じにくくなる。これにより、階調表現能力が向上し、大型高精細パネルや高リフレッシュレートにも適用できる。
【００３９】
実施の形態２
図７は、図１の有機ＥＬパネルに表示される画面の一例を示す図である。図７（ａ）の画面において、画面の右上が低輝度表示領域（領域Ａ）であり、残りのＬ字型の部分が高輝度表示領域（領域Ｂ）である。図７（ａ）の画面を表示する入力映像信号Ｖｉｎが入力された場合、各列の信号レベルの平均値を用いて基準電流Ｉｒｅｆを設定すると、実際には図７（ｂ）のような画面となってしまう。図７（ｂ）の画面は、低輝度表示領域の下の高輝度表示領域（領域Ｂ１）の輝度が、画面の左半分の高輝度表示領域（領域Ｂ２）の輝度よりも少し低い画面である。例えば、領域Ａ、Ｂ１、Ｂ２の輝度は、それぞれ０、８、１０となる。画面の右半分では、信号レベルの平均値が小さく、低輝度に最適化された基準電流Ｉｒｅｆが設定される一方、画面の左半分では、信号レベルの平均値が大きく、高輝度に最適化された基準電流Ｉｒｅｆが設定される。このように、設定される基準電流Ｉｒｅｆが大きく異なるため、本来同じ輝度で表示されるべき連続する領域Ｂ１と領域Ｂ２の輝度が大きく異なってしまう。実施の形態２の表示装置は、隣り合う列の基準電流が大きく異ならないように設定することにより、同じ輝度で表示されるべき領域において、輝度の違いから境界ができないようにすることができる。
【００４０】
図８は、本発明の実施の形態２における表示装置の構成を示すブロック図である。本実施の形態による表示装置は、図１の実施の形態１による表示装置に比較して、列平均レベル信号からフィルタ後列方向平均レベル信号を出力するＦＩＲ（Ｆｉｎｉｔｅ  Ｉｍｐｕｌｓｅ  Ｒｅｓｐｏｎｃｅ；有限インパルス応答）フィルタで構成されるローパスフィルタ（ＬＰＦ）３０６をさらに備えたことを特徴とする。図８の実施の形態２の表示装置の構成は、ＬＰＦ３０６以外、図１の実施の形態１の表示装置の構成と同様であるため説明を省略する。
【００４１】
本実施の形態の表示装置について以下その動作説明を行う。理解しやすくするため、図９（ａ）の４×４の画面を表示する入力映像信号Ｖｉｎが入力された場合について説明する。列平均レベル演算回路１０４は、入力映像信号Ｖｉｎから各列の映像信号レベルの平均値を演算する。具体的には、図９の（ｂ）に示すように、第１列目、第２列目の映像信号レベルの平均値Ａ１、Ａ２は共に８（＝（８＋８＋８＋８）／４）となり、第３列目、第４列目の映像信号レベルの平均値Ａ３、Ａ４は共に２（＝（０＋０＋０＋８）／４）となる。列平均レベル演算回路１０４は、求めた各列の平均値を列平均レベル信号としてＬＰＦ３０６へ出力する。
【００４２】
次に、ＬＰＦ３０６は、列平均レベル信号から両隣の平均値も加味したフィルタ後列平均レベル信号を出力する。第（ｉ−１）列目、第ｉ列目、第（ｉ＋１）列目の列平均レベル信号をそれぞれＡ（ｉ−１）、Ａｉ、Ａ（ｉ＋１）とすると、第ｉ列目のフィルタ後列平均レベル信号Ｆｉは次式により求められる。
【００４３】
Ｆｉ＝Ａ（ｉ−１）／４＋Ａｉ／２＋Ａ（ｉ＋１）／４
【００４４】
ここで、ｉ＝１のとき、すなわち左端の列のフィルタ後列平均レベル信号を求めるときは、Ａ（ｉ−１）にこの左端の列平均レベル信号Ａ１を代入する。一方、ｉ＝ｎのとき、すなわち右端の列のフィルタ後列平均レベル信号を求めるときは、Ａ（ｉ＋１）にこの右端の列平均レベル信号Ａｎを代入する。
【００４５】
具体的には、図９（ａ）の各列のフィルタ後列平均レベル信号Ｆ１〜Ｆ４は次式により求められる（図９（ｂ）参照）。
【００４６】
Ｆ１＝Ａ１／４＋Ａ１／２＋Ａ２／４＝８／４＋８／２＋８／４＝８
Ｆ２＝Ａ１／４＋Ａ２／２＋Ａ３／４＝８／４＋８／２＋２／４＝６．５
Ｆ３＝Ａ２／４＋Ａ３／２＋Ａ４／４＝８／４＋２／２＋２／４＝３．５
Ｆ４＝Ａ３／４＋Ａ４／２＋Ａ４／４＝２／４＋２／２＋２／４＝２
【００４７】
ＬＰＦ３０６は、求めたフィルタ後列平均レベル信号を基準電流設定テーブル１０５へ出力する。
【００４８】
次に、基準電流設定テーブル１０５は、フィルタ後列平均レベル信号を入力として、各列の移動度補償用電流源Ｉ２０７の出力する基準電流Ｉｒｅｆを決定するための基準電流設定信号を出力する。これ以外は、実施の形態１と同様であるため説明を省略する。
【００４９】
以上のように、実施の形態２によれば、各列の画素が共有する移動度補償用可変電流源が印加する基準電流値を、各列の映像信号レベルの平均値に両隣の列の平均値も加味させた値に応じて、最適な値に設定することにより、トランジスタ移動度のばらつきの影響を低減することができ、輝度ムラが生じにくくなり、さらには隣り合う列の基準電流が大きく異ならないので、輝度の違いによる境界ができにくくなる。これにより、階調表現能力が向上し、大型高精細パネルや高リフレッシュレートにも適用できる。
【００５０】
なお、実施の形態１及び２においては、有機ＥＬ素子を例として説明しているが、無機ＬＥＤのような駆動電流により発光量を制御可能な光学素子にも適用可能である。
【００５１】
なお、実施の形態１及び２の列平均レベル演算回路１０４は、各列の信号レベルの加算平均を算出しているが、これに代えて二乗平均の平方根を算出してもよい。
【産業上の利用可能性】
【００５２】
本発明の基準電流演算装置、表示装置及びその方法は、トランジスタ移動度を補償可能であり、優れた階調表現能力を有するという効果を有し、大型高精細パネルや高リフレッシュレートでの表示において有用である。
【図面の簡単な説明】
【００５３】
【図１】本発明の実施の形態１における表示装置の構成を示すブロック図
【図２】図１の有機ＥＬパネルのｍ×ｎ個の有機ＥＬ素子の配列を示す図
【図３】図１の列平均レベル演算回路１０４による列平均レベル演算処理を示すフローチャート
【図４】映像信号の平均レベルに対する基準電流の変換特性を示す図
【図５】図１の有機ＥＬパネルの構成を示すブロック図
【図６】図５の有機ＥＬパネルの画素回路の具体的な構成を示す回路図
【図７】図１の有機ＥＬパネルに表示される画面の一例を示す図
【図８】本発明の実施の形態２における表示装置の構成を示すブロック図
【図９】図８の有機ＥＬパネルに表示される画面の一例を示す図とその画面を表示するときの列平均レベル信号、フィルタ後列平均レベル信号を示す表
【図１０】従来の表示装置の１つの画素回路の具体的な構成を示す図
【図１１】従来の表示装置の異なる２つの画素回路αとβにおける、データ信号電圧に対する駆動電流特性を示す図
【符号の説明】
【００５４】
１００，３００    表示装置
１０１，３０１    基準電流演算装置
１０２    移動度補償型電圧プログラム方式有機ＥＬパネル
１０３    映像信号遅延回路
１０４    列平均レベル演算回路
１０５    基準電流設定テーブル
２０１    画素回路（ＰＸＬＣ）
２０２    画素アレイ部
２０３    水平セレクタ（ＨＳＥＬ）
２０４    ライトスキャナ（ＷＳＣＮ）
２０５    ドライブスキャナ（ＤＳＣＮ）
２０６    オートゼロ回路（ＡＺＲＤ）
２０７    移動度補償用可変電流源（ＶＩＳ）
３０６    ローパスフィルタ（ＬＰＦ）
【図１】
2009003075.tif 000003
【図２】
2009003075.tif 000004
【図３】
2009003075.tif 000005
【図４】
2009003075.tif 000006
【図５】
2009003075.tif 000007
【図６】
2009003075.tif 000008
【図７】
2009003075.tif 000009
【図８】
2009003075.tif 000010
【図９】
2009003075.tif 000011
【図１０】
2009003075.tif 000012
【図１１】
2009003075.tif 000013